(57)【要約】      （修正有）【課題】安定したロック解除を実現するロック装置を提供することを課題とする。【解決手段】回転可能に設けられ、進入溝に進入したストライカ５３を押出可能な押出部材８９と、一端部が固定され、他端部が押出部材８９に係合され、押出部材８９をストライカ押出方向に付勢する押出付勢部材９５と、を有し、ロック解除動作に連動して、ロック解除動作に連動して、押出部材８９の回転軸から押出付勢部材９５と押出部材８９との係合部までの距離が漸次的に長くなるように、係合部９３を移動させる移動機構を設ける。【選択図】図１
2019064501.tif 000002
【特許請求の範囲】
【請求項１】
一方の部材と他方の部材とをロックするロック装置であって、
前記一方の部材に設けられたストライカと、
前記他方の部材に設けられ、前記ストライカが進入可能な進入溝を有するベースと、
前記ベースに設けられ前記進入溝に進入した前記ストライカと係合可能なロック溝を有し、該ロック溝に前記ストライカが離脱可能なロック解除位置と、ロック解除位置方向へ付勢され、前記ロック溝に進入した前記ストライカが離脱不可能なロック位置との間を回転可能なフックと、
前記ベースに回転可能に設けられ、前記フックに係合する方向へ付勢され、前記ロック位置にある前記フックに係合することにより前記フックのロック解除位置方向への回転を禁止し、前記フックをロック位置にロックするポールと、
前記ベースに回転可能に設けられ、前記ロック溝に進入した前記ストライカを離脱させる押出部材と、
前記ベースに一端部が固定され、他端部が前記押出部材に係合され、前記押出部材を少なくとも前記ストライカを前記ロック溝から離脱させる方向へ付勢する押出付勢部材と、
を有し、
前記一方の部材と前記他方の部材とのロックを解除するロック解除動作に連動して、前記押出部材の回転軸から前記押出付勢部材と前記押出部材との係合部までの距離が漸次的に長くなるように、前記回転軸、前記係合部のうちの少なくとも一方を移動させる移動機構を設けたことを特徴とするロック装置。
【請求項２】
前記押出部材は、ロック時において前記ストライカに当接することを特徴とする請求項１記載のロック装置。
【請求項３】
前記移動機構は、
前記押出部材の回転軸の移動が固定され、
前記押出部材に設けられた長穴を有し、
前記係合部は、前記長穴に沿って揺動することを特徴とする請求項１又は２記載のロック装置。
【発明の詳細な説明】
【技術分野】
【０００１】
本発明は、一方の部材と他方の部材とをロックするロック装置に関し、更に詳しくは、安定したロック解除を実現できるロック装置に関する。
【背景技術】
【０００２】
ロック装置が用いられる例として、格納シートがある。
図１０に示すように、格納シート１は、着座者の臀部を支持するシートクッション３と、着座者の背部を支持するシートバック５とからなっている。
シートクッション３のシートクッションフレーム７の前部は、フロア９に設けられたヒンジ１１に対し、回転軸１３によって連結されている。
【０００３】
ロック装置１５は、シートクッションフレーム７の後部に設けられたロック装置本体１７と、フロアに設けられ、ロック装置本体１７が係脱するストライカ１９とからなっている。
ロック装置本体１７は、ストライカ１９が進入する溝を有するベースと、ベースに対して回転可能に設けられ、ストライカ１９が進入可能なロック溝を有し、回転位置によってストライカ１９をロック／ロック解除可能なフックと、フックをロック解除方向に付勢する付勢部材と、フックに係合し、フックがロック解除方向に回転することを禁止するポールとを備える。
【０００４】
この種のロック装置にあっては、追い込み部材と呼ばれる回転可能な部材を設け、付勢部材を用いてロック状態において、ストライカに押接することにより、ストライカとフックとのガタをなくすようにしたものが知られている（例えば、特許文献１参照）。
そして、図１０に示すように、シートバック５がシートクッション３に重なるように前倒れさせた状態で、ロック装置本体１７とストライカ１９とのロック状態を解除し、格納シート１を回転軸１３を支点として、跳ね上げることにより、荷室スペースを拡大することができる。
【先行技術文献】
【特許文献】
【０００５】
【特許文献１】特開２０１１−４２２２２号公報
【発明の概要】
【発明が解決しようとする課題】
【０００６】
上述したロック装置において、ロック装置にシートの自重がかかっているので、ロック解除時の操作力が大きくなる問題点がある。
ここで、前述した追い込み部材のロック解除方向への付勢力により、ストライカをロック解除方向に押し出すようにすれば、ロック解除時の操作力は低減する。しかし、追い込み部材がロック解除方向に回転するほど、付勢部材の付勢力が低下し、ストライカがロック溝及びベースの溝から抜けきらず安定してロック解除できないなどの問題点がある。
【０００７】
本発明は上記問題点に鑑みてなされたもので、その課題は、安定したロック解除を実現するロック装置を提供することにある。
【課題を解決するための手段】
【０００８】
上述した課題のうち少なくとも一つを実現するために、本発明の一側面を反映したロック装置は、一方の部材と他方の部材とをロックするロック装置であって、前記一方の部材に設けられたストライカと、前記他方の部材に設けられ、前記ストライカが進入可能な進入溝を有するベースと、前記ベースに設けられ前記進入溝に進入した前記ストライカと係合可能なロック溝を有し、該ロック溝に前記ストライカが離脱可能なロック解除位置と、ロック解除位置方向へ付勢され、前記ロック溝に進入した前記ストライカが離脱不可能なロック位置との間を回転可能なフックと、前記ベースに回転可能に設けられ、前記フックに係合する方向へ付勢され、前記ロック位置にある前記フックに係合することにより前記フックのロック解除位置方向への回転を禁止し、前記フックをロック位置にロックするポールと、前記ベースに回転可能に設けられ、前記ロック溝に進入した前記ストライカを離脱させる押出部材と、前記ベースに一端部が固定され、他端部が前記押出部材に係合され、前記押出部材を少なくとも前記ストライカを前記ロック溝から離脱させる方向へ付勢する押出付勢部材と、を有し、前記一方の部材と前記他方の部材とのロックを解除するロック解除動作に連動して、前記押出部材の回転軸から前記押出付勢部材と前記押出部材との係合部までの距離が漸次的に長くなるように、前記回転軸、前記係合部のうちの少なくとも一方を移動させる移動機構を設けたことを特徴とする。
【０００９】
本発明の他の特徴は、以下に述べる発明を実施するための形態並びに添付の図面から一層明らかになるであろう。
【発明の効果】
【００１０】
本発明のロック装置によれば、前記一方の部材と前記他方の部材とのロックを解除するロック解除動作に連動して、前記押出部材の回転軸から前記押出付勢部材と前記押出部材との係合部までの距離が漸次的に長くなるように、前記回転軸、前記係合部のうちの少なくとも一方を移動させる移動機構を設けた。
【００１１】
よって、ロック解除動作に連動して、押出部材に発生する回転モーメントが漸次的に増加することにより、ロック解除動作に連動して、押出部材の回転によるストライカを押す力の低下を補うことができるため、安定したロック解除を行うことができる。
【図面の簡単な説明】
【００１２】
【図１】本実施形態例のロック装置の分解斜視図である。
【図２】図１のベース、ベースカバーを取り除いたII方向矢視図である。
【図３】図１に示すロック装置のロック状態を説明する構成図である。
【図４】図３においてロック解除操作を行い、ポールリンクがポールピンに当たり始めた状態を説明する構成図である。
【図５】図４において、フックからストライカが抜け始めた状態を説明する図である
【図６】図５において、フックからストライカが抜け、ロック解除した状態を説明する図である。
【図７】図６に示すロック解除されたロック装置がロック状態になるまでの変化を説明する構成図である
【図８】図６に示すロック解除されたロック装置がロック状態になるまでの変化を説明する構成図である
【図９】図６に示すロック解除されたロック装置がロック状態になるまでの変化を説明する構成図である
【図１０】格納シートを説明する図である。
【発明を実施するための形態】
【００１３】
最初に、図１、図２を用いて、本発明の一実施形態を説明する。図１は本実施形態例のロック装置の分解斜視図、図２は図１のベース、ベースカバーを取り除いたII方向矢視図である。尚、本実施形態のロック装置は、背景技術の欄で説明を行った格納シートに設けられるロック装置である。
【００１４】
図１において、ロック装置５１は、フロア側に設けられるストライカ５３と、格納シートのシートクッションフレーム側に設けられるロック装置本体５５とからなっている。
＜ロック装置本体５５＞
ベース６１と、ベース６１の一方の面を覆うベースカバー６３とには、ストライカ５３が進入可能な進入溝６１ａ、進入溝６３ａがそれぞれ形成されている。
【００１５】
ベース６１の進入溝６１ａの一方の側には貫通したフックシャフト穴６１ｂが形成され、他方の側には貫通したポールシャフト穴６１ｃが形成されている。また、ベースカバー６３の進入溝６３ａの一方の側にはベース６１のフックシャフト穴６１ｂに対向し、貫通したフックシャフト穴６３ｂが形成され、他方の側にはベース６１のポールシャフト穴６１ｃに対向し、貫通したポールシャフト穴６３ｃが形成されている。
【００１６】
ベース６１の他方の面上には、フック６５とポール６７とが配置される。フック６５は
進入溝６１ａの一方の側に配置され、ポール６７は他方の側に配置される。
フック６５には貫通したシャフト穴６５ａが、ポール６７には貫通したシャフト穴６７ａが形成されている。そして、シャフト穴６５ａ、ベース６１のフックシャフト穴６１ｂ、ベースカバー６３のフックシャフト穴６３ｂを挿通するフックシャフト６９により、フック６５はベース６１に回転可能に支持されている。同様に、シャフト穴６７ａ、ベース６１のポールシャフト穴６１ｃ、ベースカバー６３のポールシャフト穴６３ｃを挿通するポールシャフト７１により、ポール６７はベース６１に回転可能に支持されている。
【００１７】
フック６５には、ベース６１、ベースカバー６３の進入溝６１ａ、進入溝６３ａに進入したストライカ５３が進入可能で、ベース６１、ベースカバー６３の進入溝６１ａ、進入溝６３ａと協働してストライカ５３を挟み込むロック溝６５ｂが形成されている。また、フック６５のロック溝６５ｂの開口付近には、被当接部６５ｃが形成されている。
【００１８】
ポール６７には、フック６５の被当接部６５ｃに当接可能な当接部６７ｂが形成されている。
中間部がフックシャフト６９に巻回され、一端部がフック６５に係止され、他端部がベース６１に係止されたフック付勢部材（トーションスプリング）７３により、フック６５はロック解除方向（後述する図３−図８において、矢印A方向）に付勢されている。
【００１９】
同様に、中間部がポールシャフト７１に巻回され、一端部がポール６７に係止され、他端部がベース６１に係止されたポール付勢部材（トーションスプリング）７５により、ポール６７は、その当接部６７ｂがフック６５の被当接部６５ｃに当接する方向（後述する図３−図８において、矢印B方向）に付勢されている。
【００２０】
ベース６１には、ポール６５とフック６５とを覆うプレート７７が設けられる。このプレート７７には、貫通したポールリンクピン穴７７ａと、貫通した押出リンクピン穴７７ｂと、貫通した押出部材ピン穴７７ｃとが形成されている。
ベース６１とプレート７７との間には、貫通した穴７９ａを有するポールリンク７９が配置される。このポールリンク７９の穴７９ａと、プレート７７のポールリンクピン穴７７ａに嵌合するポールリンクピン８１により、ポールリンク７９はプレート７７に回転可能に取り付けられている。
【００２１】
ベース６１とプレート７７との間には、貫通した穴８３ａを有する押出リンク８３が配置される。この押出リンク８３の穴８３ａと、プレート７７の押出リンクピン穴７７ｂに嵌合する押出リンクピン８５により、押出リンク８３はプレート７７に回転可能に取り付けられている。
【００２２】
ベース６１とプレート７７との間には、貫通した穴８９ａを有する押出部材８９が配置される。また、ベース６１のポールシャフト穴６１ｃの近傍には、押出部材ピン穴６１ｄが形成されている。また、ベースカバー６３には、押出部材ピン穴６１ｄに対向する押出部材ピン穴６３ｄが形成されている。ベースカバー６３の押出部材ピン穴６３ｄ、ベース６１の押出部材ピン穴６１ｄ、押出部材８９の穴８９ａ、プレート７７の押出部材ピン穴７７ｃに嵌合する押出部材ピン８７により、押出部材８９はベース６１、プレート７７の間で回転可能に取り付けられている。尚、押出部材ピン８７は、ワッシャ９１を介してベースカバー６３に取り付けられている。
【００２３】
押出リンク８３には、半径方向に伸びる長穴８３ｂが形成されている。一方、押出部材８９には、周方向に沿って伸び、長穴８３ｂと交差する長穴８９ｂが形成されている。そして、押出リンク８３の長穴８３ｂ、押出部材８９の長穴８９ｂ、ワッシャ９７を挿通する押出ピン９３が設けられている。さらに、押出ピン９３の先端部には、一端部がプレート７７の係止部７７ｄに係止された押出付勢部材（コイルスプリング）９５が係止されている。よって、押出ピン９３は後述する図４−図８において、矢印C方向に付勢されている。
【００２４】
尚、本実施形態では、押出付勢部材９５の付勢力は、フック付勢部材７３の付勢力より大きく設定したが、ストライカ５３を押し出す力の低下を補い、安定したロック解除が行えれば、変更しても良い。また、上記したフック６５、ポール６７、押出付勢部材９５、押出リンク８３などのベース６１に取り付けられる部材は、他の部材を介してベース６１に取り付けられてもよい。
【００２５】
ポール６７の回転端部には、ポールリンク７９に当接可能なポールピン９９が設けられている。また、一端部がプレート７７に係止され、他端部がポールリンク７９に係止されたポールリンク付勢部材（コイルスプリング）１０１により、ポールリンク７９は後述する図４−図８において、矢印D方向に付勢され、ポールリンク７９は一定の姿勢を保持するようになっている。
【００２６】
押出リンクピン８５は、ストライカリンク１０３の貫通した穴１０３ａにも嵌合し、ストライカリンク１０３はプレート７７に回転可能に取り付けられている。ストライカリンク１０３は、ベース６１、ベースカバー６３の進入溝６１ａ、進入溝６３ａ方向に伸び、ストライカ５３が当接可能なアーム部１０３ｂを有している。また、アーム部１０３ｂには、押出リンク８３に形成された被当接部８３ｃに当接可能な当接部１０３ｃが形成されている。さらに、中間部が押出リンクピン８５に巻回され、一端部がプレート７７に係止され、他端部がストライカリンク１０３に係止されたストライカリンク付勢部材（トーションスプリング）１０５により、当接部１０３ｃが押出リンク８３の被当接部８３ｃに当接する方向（後述する図４−図８において、矢印E方向）にストライカリンク１０３は付勢されている。
【００２７】
次に、上記構成のロック装置の作動を説明する。
（ロック状態→ロック解除状態）
図３−図６を用いて説明する。図３は図１に示すロック装置のロック状態を説明する構成図、図４は図３においてロック解除操作を行い、ポールリンクがポールピンに当たり始めた状態を説明する構成図、図５は図４において、フックからストライカが抜け始めた状態を説明する図、図６は図５において、フックからストライカが抜けた状態を説明する図である。
【００２８】
図３に示すように、ロック状態では、フック６５の被当接部６５ｃに、ポール付勢部材７５に付勢されたポール６７の当接部６７ｂが当接し、フック付勢部材７３によりロック解除方向に付勢されたフック６５はロック位置にある。この時、フック６５のロック溝６５ｂは、ベース６１、ベースカバー６３の進入溝６１ａ、進入溝６３ａと略９０度に交差した状態にあり、ベース６１、ベースカバー６３の進入溝６１ａ、進入溝６３ａからストライカ５３が抜けないロック状態にある。
【００２９】
この時、押出付勢部材９５により付勢された押出部材８９はストライカ５３に当接するようにし、ストライカ５３のガタつきを防止している。
また、押出ピン９３は押出部材８９の長穴８９ｂの図３において右端に位置しており、押出ピン９３と押出部材８９の長穴８９ｂとの摩擦力にて係止されている。
【００３０】
ここで、図３→図４に示すように、操作者が操作レバーを引いて、ポール付勢部材７５の付勢力に抗して、ポール６７を時計方向に回転させると、ポール６７のポールピン９９がポールリンク７９の一方の回転端部７９ｂを押し、ポールリンク７９はピン８１を中心に時計方向に回転をはじめ、ポールリンク７９の他方の回転端部７９ｃは、押出ピン９３を押し、押出ピン９３は左に向かって移動し始める。
【００３１】
図５に示すように、さらにポール６７は時計方向に回転するが、押出ピン９３が押出付勢部材（コイルスプリング）９５の長さが最長になっている時より、左側に移動するため、押出ピン９３の反時計方向の付勢力（押出ピン９３が押出部材８９の長穴８９ｂの左側に向かう付勢力）により、押出ピン９３と長穴８９ｂとの摩擦力に抗して、押出ピン９３は押出部材８９の長穴８９ｂの左端に移動する。
【００３２】
尚、本実施形態では、押出部材８９の長穴８９ｂの右端は、押出付勢部材９５の固定端（プレート７７の係止部７７ｄ）よりも右側に位置しているが、上部または少し左側でもよい。
また、長穴８９ｂの右端は更に右側に、かつ右下方向に延長しても良い。その場合は、押出付勢部材９５と押出部材８９との係合部（押出ピン９３）が長穴９８ｂの右端に位置すれば、押出付勢部材（コイルスプリング）９５の長さが最長になっているときよりも少し短くなっているように設定される。これは、押出ピン９３が押出付勢部材（コイルスプリング）９５の固定端（プレート７７の係止部７７ｄ）より、更に右側かつ右下方向に位置すると、押出ピン９３に時計方向の付勢力（押出ピン９３が押出部材８９の長穴８９ｂの右側に向かう付勢力）が発生し、より確実に押出ピン９３を長穴８９ｂの右端に維持できるためである。
【００３３】
そして、押出部材８９は、押出付勢部材９５の付勢力により、ベース６１、ベースカバー６３の進入溝６１ａ、進入溝６３ａに進入したストライカ５３を押出す方向に押圧する。
この時、押出部材８９への押出付勢部材９５の付勢力の作用点である押出ピン９３が長穴８９ｂの左端に向かって移動していくと、押出部材８９の回転軸（押出部材ピン８７）から押出付勢部材９５の押出部材との係合部（押出ピン９３）までの距離が漸次的に長くなる。
【００３４】
このように、押出付勢部材９５と、長穴８９ｂを有する押出部材８９と、押出ピン９３とで、ロック解除動作に連動して、押出部材８９の回転軸から押出付勢部材９５と押出部材８９との係合部（押出ピン９３）までの距離が漸次的に長くなるように、回転軸（押出部材ピン８７）、係合部（押出ピン９３）のうちの少なくとも一方を移動させる移動機構を有する。ここでは、移動機構は、押出ピン９３、長穴８９ｂ・回転軸（押出部材ピン８７）を有する押出部材８９、押出付勢部材９５の他端、及び係合部（押出ピン９３）により移動機構が構成されている。
【００３５】
尚、本実施形態では、押出部材８９の回転軸が固定され、押出ピン９３が押出部材８９の回転軸から離れる構成としたが、逆に、押出ピンを押出部材に固定し、押出部材の回転軸を移動させるようにしてもよいし、さらには、押出ピン、押出部材の回転軸の両方を移動させるようにしてもよい。また、ロック解除時に、操作者が操作レバーを引いてポール６７を回転させ、ポール６７により押出ピン９３を移動させているが、ロック解除動作（ここでは操作レバーの操作）に、押出ピン９３の移動を連動しさえすればよい。
【００３６】
さらに、図５に示すように、フック６５の被当接部６５ｃと、ポール６７の当接部６７ｂとの当接も解除され、フック付勢部材７３の付勢されたフック６５は、ロック解除位置に移動可能な状態となる。そして、ストライカ５３は押出部材８９によって押圧され、ベース６１、ベースカバー６３の進入溝６１ａ、進入溝６３ａから押し出される方向に移動し、フック６５は、ロック解除位置に向かって回転移動する。
【００３７】
この時、図６に示すように、ポール６７の更なる回転により、ポールピン９９と、ポールリンク７９の一方の回転端部７９ｂとの押接が解除され、ポールリンク７９はポールリンク付勢部材１０１により元位置に復帰する。
また、ストライカ５３の押し出される方向の移動より、ストライカ５３はストライカリンク１０３のアーム部１０３ｂに当接するが、ストライカリンク１０３がE方向と反対方向に回転することにより、ストライカ５３の進入溝６１ａ、進入溝６３ａから押し出される方向の移動は阻害されない。
【００３８】
そして、ストライカ５３は、進入溝６１ａ、進入溝６３ａから完全に押し出され、ロック解除が完了する。
この時、押出部材８９を介して付与される押出付勢部材９５の付勢力と、フック６５を介して付与されるフック付勢部材７３の付勢力とにより、フック６５はロック解除状態が保持される。フック付勢部材７３の付勢力のみの場合に比べて押出付勢部材９５の付勢力が付加されているため、シートバックの自重によってストライカ５３がロック方向に戻ろうとしてもロック状態を維持できる。尚、従来のフック付勢部材だけだと、ロック状態に戻ってしまうので、操作者は操作レバーによりポールをロック解除方向に引き続けなければならなかった。
【００３９】
尚、上記構成では、押出ピン９３が押出部材８９の長穴８９ｂの左端に移動してから、フック６５とポール６７との係合が解除され、ストライカ５３が押し出され始めるようにしたが、押出ピンが長穴の右端から左端に向かって移動している途中で、フック６５とポール６７との係合が解除され、ストライカ５３が押し出され始めるようにしてもよい。フックとポールとの係合が解除されるタイミングや付勢力とのバランスに依存する。
（ロック解除状態→ロック状態）
図７−図９を用いて説明する。図７−図９は図６に示すロック解除されたロック装置がロック状態になるまでの変化を説明する構成図である。
【００４０】
最初に、図７に示すように、ストライカ５３がベース６１、ベースカバー６３の進入溝６１ａ、進入溝６３ａに進入しようとすると、ストライカ５３はストライカリンク１０３のアーム部１０３ｂに当接する。
次に、図８に示すように、ストライカ５３によりストライカリンク１０３は矢印E方向に回転し、当接部１０３ｃが押出リンク８３の被当接部８３ｃを押し、押出リンク８３は押出部材８９の長穴８９ｂの左端に位置する押出ピン９３を長穴８９ｂの右端まで移動させる。
【００４１】
また、ストライカ５３はフック６５の被当接部６５ｃを押して、ロック解除位置にあるフック６５をロック位置まで矢印A方向と反対方向に回転させ、ストライカ５３はフック６５のロック溝６５ｂに進入する。
次に、図９に示すように、フック６５がロック位置に到達すると、ポール付勢部材７５の付勢力により、ポール６７が矢印B方向に回転し、ポール６７の当接部６７ｂが、フック６５の被当接部６５ｃに当接しはじめる。さらに、ポール６７の回転により、ポール６７のポールピン９９がポールリンク７９の回転端部７９ｂに当接し、ポール６７、ポールリンク７９がそれぞれ反時計方向に回転し、ポール６７のポールピン９９とポールリンク７９の回転端部７９ｂとの当接が解除されたのち、ポールリンク７９はポールリンク付勢部材１０１の付勢力により、元位置に戻り、図３に示すロック状態となる。
【００４２】
上記構成によれば、以下のような効果が得られる。
(1) ロック解除動作に連動して、押出部材８９の回転軸（押出部材ピン８７）から押出付勢部材９５と押出部材との係合部（押出ピン９３）までの距離が漸次的に長くなる移動機構を設けた。よって、ロック解除動作に連動して、押出部材８９に発生する回転モーメントが漸次的に増加することにより、ロック解除動作に連動して、押出部材８９の回転によるストライカ５３を押す力の低下を補うことができるため、安定したロック解除を行うことができる。
【００４３】
(2) ロック時において、押出付勢部材９５により付勢された押出部材８９はストライカ５３に当接するようにしたことにより、ストライカ５３のガタつきを防止できる。
(3) 長穴８９ｂを押出部材８９に設け、押出部材８９の回転軸（押出部材ピン８７）が固定されていることで、設計が容易である。さらに、押出部材８９の回転が安定する。
【００４４】
(4) 押出付勢部材９５の付勢力により、フック付勢部材７３の付勢力を分散させ、押出部材及び押出付勢部材がない場合よりも、フック付勢部材の付勢力を小さくできるため、押出部材８９によって、軽い力でロック解除状態へ移行できる。
(5) ロック解除時され始め、フック６５がストライカ５３から抜け始めた状態において、操作レバーから手を離しても、押出部材８９はストライカ５３に当接しているので、押出部材８９によってロック解除状態を保持できる。
(6) ストライカリンク１０３はロック溝６５ｂにストライカ５３が進入する前にストライカ５３に押され、押出部材８９、押出付勢部材９５の押出部材８９との係合部（押出ピン９３）を戻すことができ、ロックする際にはロック動作に連動して係合部（押出ピン９３）が押出部材８９の長穴８９ｂの右端に位置しているため、ロックする際に軽い力でロックできる。
【００４５】
また、このとき、係合部（押出ピン９３）が押出部材８９の長穴８９ｂの右端に移動完了せず、ストライカ５３がフック６５を押す動きによって徐々に係合部（押出ピン９３）が長穴８９ｂの右端に移動するようにしても良い。この場合には、押出部材８９の回転軸（押出部材ピン８７）から係合部（押出ピン９３）までの距離が短くなり、押出部材８９に発生するストライカ５３をロック溝６５ｂから離脱させる方向に付勢する方向への回転モーメントが減少していくため、ロックする際に軽い力でロックできる。
【符号の説明】
【００４６】
５３  ストライカ
８９  押出部材
８９ｂ  長穴
９３  押出ピン
９５  押出付勢部材
【図１】
2019064501.tif 000003
【図２】
2019064501.tif 000004
【図３】
2019064501.tif 000005
【図４】
2019064501.tif 000006
【図５】
2019064501.tif 000007
【図６】
2019064501.tif 000008
【図７】
2019064501.tif 000009
【図８】
2019064501.tif 000010
【図９】
2019064501.tif 000011
【図１０】
2019064501.tif 000012